(57)【要約】【課題】睡眠時の呼吸停止又は低呼吸状態の推定精度の高い簡便な睡眠状態推定装置の提供。【解決手段】睡眠期間を含む所定期間における被験者の拍動間隔データを取得する取得部(221,721)と、拍動間隔データから自律神経指標データを出力する自律神経指標出力部(226,726)と、拍動間隔データ及び自律神経指標データに基づいて、被験者の無呼吸又は低呼吸睡眠状態を推定する呼吸推定部(222,722)と、推定結果を示す無呼吸指標信号を出力する出力部(225,725)と、を有する睡眠状態推定装置(2,7)。【選択図】図６
2020168215.tif 000002
【特許請求の範囲】
【請求項１】
睡眠期間を含む所定期間における被験者の拍動間隔データを取得する取得部と、
前記拍動間隔データから自律神経指標データを出力する自律神経指標出力部と、
前記拍動間隔データ及び前記自律神経指標データに基づいて、前記被験者の無呼吸又は低呼吸睡眠状態を推定する呼吸推定部と、
前記推定結果を示す無呼吸指標信号を出力する出力部と、
を有する睡眠状態推定装置。
【請求項２】
前記被験者の体動信号を取得して、体動データを出力する体動データ出力部を更に有し、
前記呼吸推定部は、前記拍動間隔データ、前記自律神経指標データ、及び前記体動データに基づいて、前記被験者の無呼吸又は低呼吸睡眠状態を推定する請求項１に記載の睡眠状態推定装置。
【請求項３】
前記呼吸推定部は、
前記拍動間隔データから、周期的心拍変動イベントデータを検出するイベント検出部と、
前記周期的心拍変動イベントデータから拍動間隔が所定範囲内となる期間の周期的心拍変動イベントデータを除外し、且つ、前記周期的心拍変動イベントデータから前記自律神経指標データが所定の自律神経指標閾値未満となる期間の周期的心拍変動イベントデータを除外し、且つ、前記体動データが所定の体動閾値未満となる期間の周期的心拍変動イベントデータを除外するイベント処理部と、
を更に有する請求項２に記載の睡眠状態推定装置。
【請求項４】
前記呼吸推定部は、複数の被験者のデータに基づいて、前記被験者の無呼吸又は低呼吸睡眠状態を推定する、請求項１又は２に記載の睡眠状態推定装置。
【請求項５】
睡眠期間を含む所定期間における被験者の拍動間隔データを取得することと、
前記拍動間隔データから自律神経指標データを出力することと、
前記拍動間隔データ及び前記自律神経指標データに基づいて、前記被験者の無呼吸又は低呼吸睡眠状態を推定することと、
前記推定結果を示す無呼吸指標信号を出力することと、
を含む睡眠状態推定方法。
【請求項６】
コンピュータを動作させるプログラムであって、
睡眠期間を含む所定期間における被験者の拍動間隔データを取得することと、
前記拍動間隔データから自律神経指標データを出力することと、
前記拍動間隔データ及び前記自律神経指標データに基づいて、前記被験者の無呼吸又は低呼吸睡眠状態を推定することと、
前記推定結果を示す無呼吸指標信号を出力することと、を含む睡眠状態推定方法、
をコンピュータに実行させる睡眠状態推定プログラム。
【発明の詳細な説明】
【技術分野】
【０００１】
本発明は、睡眠状態推定装置、睡眠状態推定方法及び睡眠状態推定プログラムに関する。
【背景技術】
【０００２】
睡眠時に呼吸停止又は低呼吸になる疾患である睡眠時無呼吸症候群（ＳＡＳ：Sleep apnea syndrome）が知られている。睡眠時無呼吸症候群の診断方法として、睡眠中の脳波・眼球運動・心電図・筋電図・呼吸曲線・いびき・動脈血酸素飽和度等の生体活動を、一晩にわたって測定する睡眠ポリグラフ検査がある。しかし、装置が大がかりであり多岐にわたる検査のため被験者は入院を必要し、手軽に測定ができないという問題があった。又、医師もしくは臨床検査技師による総合的判断を必要とする。したがって、睡眠時無呼吸症候群の診断を簡便に行うことができる睡眠状態推定装置への必要性は高い。
【０００３】
睡眠時に呼吸停止又は低呼吸になった状態と心拍数の変動とが関連することが知られている。睡眠時の心拍数変化を観測すると、正常睡眠時での心拍数の変動に比べ、呼吸停止又は低呼吸になったときは、徐脈と頻脈を交互に繰り返す特徴的な心拍変動、いわゆる周期的心拍変動（ＣＶＨＲ：cyclic variation of heartrate）が発生する。
【０００４】
特許文献１は、周期的心拍変動を検出して呼吸停止又は低呼吸になった状態を判定する方法を開示する。更に、呼吸停止又は低呼吸状態の精度を向上するため、被験者のそれぞれの健康状態を反映する指標として交感神経と副交感神経の活動比率の変化を利用することを開示する。
【０００５】
又、特許文献２は、心拍間隔から交感神経及び副交感神経の活動比率を求めレム睡眠、ノンレム睡眠等睡眠状態を推定する睡眠状態判定方法を開示する。
【０００６】
更に、特許文献３は、睡眠中の脈拍間隔データを使用して被験者の睡眠状態を判定する際に、被験者の体の動きの度合いを示す体動が所定の範囲にあるときは対応する脈拍間隔データを除外する睡眠状態判定方法を開示する。
【先行技術文献】
【特許文献】
【０００７】
【特許文献１】特開２０１０-０５１３８７号公報
【特許文献２】特開平７-１４３９７２号公報
【特許文献３】特開２００５-２７９１１３号公報
【発明の概要】
【発明が解決しようとする課題】
【０００８】
しかし、特許文献１に記載の検出方法では、検出された周期的心拍変動にレム睡眠状態等を含むことがあり、睡眠時の呼吸停止又は低呼吸の検出精度が低くなる可能性がある。
【０００９】
又、特許文献２に記載の推定方法は、レム睡眠、ノンレム睡眠の判定はできるが、睡眠時の呼吸停止又は低呼吸状態の判定について開示してない。
【００１０】
更に、被験者の体動の原因としては、被験者の呼吸停止又は低呼吸になったときだけでなく様々な要因があり、特許文献３に開示される体動だけで呼吸停止又は低呼吸になったと判定するのは難しい。
【００１１】
本発明は、上述の問題を解決するためになされたものであり、睡眠時の呼吸停止又は低呼吸状態の推定精度の高い簡便な睡眠状態推定装置を提供すること課題とする。
【課題を解決するための手段】
【００１２】
上記目的を達成するため、本発明に係る睡眠状態推定装置は、睡眠期間を含む所定期間における被験者の拍動間隔データを取得する取得部と、拍動間隔データから自律神経指標データを出力する自律神経指標出力部と、拍動間隔データ及び自律神経指標データに基づいて、被験者の無呼吸又は低呼吸睡眠状態を推定する呼吸推定部と、推定結果を示す無呼吸指標信号を出力する出力部と、を有することを特徴とする。
【００１３】
更に、本発明に係る睡眠状態推定装置は、被験者の体動信号を取得して、体動データを出力する体動データ出力部を更に有し、呼吸推定部は、拍動間隔データ、自律神経指標データ、及び体動データに基づいて、被験者の無呼吸又は低呼吸睡眠状態を推定することが好ましい。
【００１４】
更に、本発明に係る睡眠状態推定装置は、呼吸推定部が、拍動間隔データから、周期的心拍変動イベントデータを検出するイベント検出部と、周期的心拍変動イベントデータから拍動間隔が所定範囲内となる期間の周期的心拍変動イベントデータを除外し、且つ、周期的心拍変動イベントデータから自律神経指標データが所定の自律神経指標閾値未満の周期的心拍変動イベントデータを除外し、且つ、体動データが所定の体動閾値未満の周期的心拍変動イベントデータを除外するイベント処理部と、を更に有することが好ましい。
【００１５】
更に、本発明に係る睡眠状態推定装置は、呼吸推定部が、複数の被験者のデータに基づいて、被験者の無呼吸又は低呼吸睡眠状態を推定する、ことが好ましい。
【００１６】
本発明に係る睡眠状態推定方法は、睡眠期間を含む所定期間における被験者の拍動間隔データを取得することと、拍動間隔データから自律神経指標データを出力することと、拍動間隔データ及び自律神経指標データに基づいて、被験者の無呼吸又は低呼吸睡眠状態を推定することと、推定結果を示す無呼吸指標信号を出力することと、を含むことを特徴とする。
【００１７】
本発明に係る睡眠状態推定プログラムは、コンピュータを動作させるプログラムであって、睡眠期間を含む所定期間における被験者の拍動間隔データを取得することと、拍動間隔データから自律神経指標データを出力することと、拍動間隔データ及び自律神経指標データに基づいて、被験者の無呼吸又は低呼吸睡眠状態を推定することと、推定結果を示す無呼吸指標信号を出力することと、を含む睡眠状態推定方法、をコンピュータに実行させる睡眠状態推定プログラム。
【発明の効果】
【００１８】
本発明に係る睡眠状態推定装置によれば、簡便に睡眠時の呼吸停止又は低呼吸状態の推定精度を向上することができる。
【図面の簡単な説明】
【００１９】
【図１】心臓の拍動を示す心電図と心臓の拍動の時間間隔である心拍間隔を説明する図である。（ａ）は心電図波形であり、（ｂ）は心拍間隔（ＲＲＩ）のグラフである。
【図２】従来の脈波間隔変動から周期的心拍変動を推定する方法を説明するための図である。
【図３】従来の脈波間隔から周期的心拍変動フラグを推定するアルゴリズムの一例を示す図である。
【図４】平滑化された脈波間隔と周期的心拍変動イベントとの関連を描いたグラフを示す図である。
【図５】自律神経指標（ＬＦ／ＨＦ）の一例を示す図である。
【図６】睡眠状態推定装置の第１実施形態の処理概要の一例を示す図である。
【図７】第１実施形態の睡眠状態推定装置の構成の一例を示す図である。
【図８】睡眠状態推定処理のフローチャートの一例を示す図である。
【図９】睡眠状態推定装置の第２実施形態の処理概要の一例を示す図である。
【図１０】第２実施形態の睡眠状態推定装置の構成の一例を示す図である。
【図１１】睡眠状態推定装置７で行われる睡眠計測処理のフローチャートの一例を示す図である。
【図１２】第３実施形態の睡眠状態推定装置の一例を示す外形斜視図である。（ａ）は表側からの外形斜視図であり、（ｂ）は裏側からの外形斜視図である。
【図１３】第３実施形態の睡眠状態推定装置の本体部の構成の一例を示す図である。
【図１４】本発明による周期的心拍変動検出の効果を示す図である。
【発明を実施するための形態】
【００２０】
以下、本開示の一側面に係る睡眠状態推定装置について、図を参照しつつ説明する。但し、本開示の技術的範囲はそれらの実施の形態に限定されず、特許請求の範囲に記載された発明とその均等物に及ぶ点に留意されたい。なお、以下の説明及び図において、同一の機能構成を有する構成要素については、同一の符号を付することにより重複説明を省略する。
【００２１】
［心臓の拍動と心拍間隔］
図１は、心臓の拍動を示す心電図と心臓の拍動の時間間隔である心拍間隔を説明する図である。（ａ）は心電図波形であり、（ｂ）は心拍間隔のグラフである。
【００２２】
人が横になる等安静にしているときは心臓の拍動が「遅く」なり、運動した時や緊張した時には心臓の拍動が「速く」なることはよく知られている。心臓の拍動が「速い」、「遅い」という現象は、例えば、拍動の一拍と次の一拍の間の時間である心拍間隔により表現できる。心臓の鼓動が速いときは、心拍間隔時間は小さくなり、反対に、心臓の拍動が遅いときは、心拍間隔時間は大きくなる。
【００２３】
図１（ａ）は、心電図と呼ばれる心臓が拍動するときに発生する電気信号を示す図である。心電図の一番鋭いピークであるＲは、心臓の心室と呼ばれる部分が急激に収縮して血液を心臓から送り出している時に発生する電気信号であり、Ｒ−Ｒ間の時間間隔を心拍間隔（ＲＲＩ；R-R Interval）という。
【００２４】
図１（ｂ）は、心拍間隔（ＲＲＩ）をプロットしたグラフである。心拍間隔（ＲＲＩ）は常に一定ではなく変動していることがわかる。運動することで心拍数が上昇し心拍間隔（ＲＲＩ）が変化するだけでなく、じっと安静にしているときや眠っているときでも、心拍間隔（ＲＲＩ）の変動が観察される。上図では、心拍間隔（ＲＲＩ）が９５０ミリ秒から９００ミリ秒のあいだで変動している。このような心拍間隔の変動を、心拍変動と呼ぶ。
【００２５】
被験者が無呼吸又は低呼吸睡眠状態にあるとき、徐脈と頻脈を交互に繰り返す特徴的な心拍変動、いわゆる周期的心拍変動が起こることが知られている。しかし、周期的な心拍変動には、様々な要因があり、被験者が無呼吸又は低呼吸睡眠状態にあることを簡便に精度よく推定する必要がある。尚、本実施形態では、心拍間隔（ＲＲＩ）と脈波間隔（ＰＰＩ）を総称して拍動間隔と呼ぶ。脈波間隔（ＰＰＩ）は、脈波の最も鋭いピーク間の時間間隔をいう。心電図は心臓の心筋の活動に伴い発生する電位変化をとらえたものに対し、脈波は心臓が拍出した血液が動脈を介し末梢へ流れた血流の変動を測定したものであり、ＲＲＩとＰＰＩはそれぞれから取得した情報であるが、睡眠時など比較的安静時にはそれらはほぼ同様な値を示すことが知られている。以降の実施例では脈波間隔に基づき説明する。
【００２６】
［従来の脈波間隔変動から周期的心拍変動を検出する方法］
図２は、従来の脈波間隔変動から周期的心拍変動を推定する方法を説明するための図である。
【００２７】
図２の上段のグラフは、脈波間隔値を縦軸に睡眠時刻を横軸にして描いたグラフである。実線は実際の脈波間隔を示し、破線は、例えば移動平均により平滑化された脈波間隔である。平滑化された脈波間隔の落ち込みをディップ(ｄｉｐ）という。図２の下段のグラフは、平滑化された脈波間隔から推定される周期的心拍変動フラグを、睡眠時刻を横軸にして描いたグラフである。周期的心拍変動フラグとは、被験者が無呼吸状態にあることを示すフラグである。
【００２８】
図３は、従来の脈波間隔から周期的心拍変動フラグを推定するアルゴリズムの一例を示す図である。まず、平滑化された脈波間隔の極小値近傍の形状をディップ候補として抽出する（ＳＴ４０１）。抽出されたディップ形状の判定、例えばディップ形状が所定の放物線形状に類似するかの判定を行う（ＳＴ４０２）。更にディップの深さ、例えば極小値の中心時刻における値と、前後の移動平均の最大値の平均値との差として、個々のディップの深さを算出して閾値判定を行う（ＳＴ４０３）。更にディップの幅の判定、例えば隣接するディップに対して所定範囲内のディップ幅を有しているかの判定を行う（ＳＴ４０４）。
【００２９】
更にディップの類似性の判定を行う（ＳＴ４０５）。例えば隣接するディップに対して所定範囲内のディップ幅及び所定範囲内のディップ高さを有し、且つ隣接するディップに対して所定範囲内のディップ幅とディップ高さの比を有しているディップを、類似性を有するディップとして特定する。更にディップの周期性の判定を行う（ＳＴ４０６）。例えば４つの連続するディップのうちの隣接する２つのディップの全てについて、隣接する２つのディップの時刻差が所定時間の範囲内であり、かつ、時刻差の大きさのばらつきが所定範囲内である場合に、その４つのディップは周期性を有するとする。上記条件を全て満たしたディップを周期的心拍変動フラグとして取得する（ＳＴ４０７）。周期的心拍変動フラグは、周期的心拍変動フラグに対応する時刻に被験者は無呼吸状態にあり周期的心拍変動イベントが発生していることを示すものである。
【００３０】
図４は、平滑化された脈波間隔と周期的心拍変動イベントとの関連を描いたグラフを示す図である。
【００３１】
被験者の平滑化された脈波間隔は、左側部分Ａでは安定しているが、右側部分Ｂでは大きく変動していることがわかる。従来の脈波間隔変動から周期的心拍変動を推定するアルゴリズムによって、左側部分Ａで周期的心拍変動フラグｃ（１、ｔ１）、ｃ（２，ｔ２）、ｃ（３、ｔ３）を取得する。ここで、ｃ（ｎ，ｔｎ）は、ｎ番目の周期的心拍変動フラグであり、時刻ｔｎで検出されていることを示す（ｎ：自然数）。更に右側部分Ｂで周期的心拍変動フラグｃ（４、ｔ４）、ｃ（５，ｔ５）、ｃ（６、ｔ６）、ｃ（７，ｔ７）、ｃ（８、ｔ８）を取得する。
【００３２】
平滑化された脈波間隔の大きく変動している右側部分Ｂでは、被験者は無呼吸状態ではなく、例えば、レム睡眠等、別の睡眠状態にあることを、発明者は実際の無呼吸状態と検出された周期的心拍変動フラグとを対比することにより知得した。本願発明は、従来の脈波間隔変動から周期的心拍変動を取得するアルゴリズムにより取得された周期的心拍変動フラグから、被験者が無呼吸状態にない周期的心拍変動フラグを除外する。被験者が無呼吸状態にない周期的心拍変動フラグを除外することにより、被験者が無呼吸状態にあり周期的心拍変動イベントが発生していることが精度よく検出される。
【００３３】
［自律神経指標の例］
被験者が無呼吸睡眠状態となったとき、被験者の交感神経活動が活性化することが知られている。交感神経活動の活動度については、例えば心拍変動を解析することで把握可能なことが知られている。
【００３４】
図５は、自律神経指標（ＬＦ／ＨＦ）の一例を示す図である。心拍変動の周波数解析を行った結果の一例を示している。例えば心拍間隔（ＲＲＩ）を所定時間、例えば５分間に亘って、周波数解析した周波数（横軸）とパワー（縦軸）との関係を示すグラフである。低周波数区間（例えば０．０５Ｈｚ−０．１５Ｈｚ）のピーク値をＬＦとし、高周波数区間（例えば０．１５Ｈｚ−０．４Ｈｚ）のピーク値をＨＦとする。
【００３５】
ＬＦは主に交感神経機能の活動度を示し、ＨＦは副交感神経機能の活動度を示す。ただしＬＦは交感神経だけでなく副交感神経の関与もあるため、ＬＦとＨＦの比（ＬＦ／ＨＦ）を交感神経の活性度の指標として使用されることが多く、本発明ではＬＦ／ＨＦを交感神経活性度の指標として使用する。又、ピーク値ではなく、低周波数区間と高周波数区間のパワースペクトル密度の比を自律神経指標（ＬＦ／ＨＦ）としてもよい。交感神経の活動度を示す自律神経指標（ＬＦ／ＨＦ）を利用して被験者が無呼吸睡眠状態となったときの推定精度を上げることができる。
【００３６】
［睡眠状態推定装置の第１実施形態の処理概要]
図６は、本発明に係る睡眠状態推定装置の第１実施形態の処理概要の一例を示す図である。
【００３７】
被験者の手首には、被験者の心臓の拍動状態、例えば脈拍を検出する光学式脈波センサ１１を有するリストバンド１が取り付けられている。光学式脈波センサ１１は、例えばＬＥＤドライバと緑色検出用フォトダイオードを搭載した光学式脈波センサＩＣを有する。ＬＥＤを生体内に向けて照射した時の反射光の強度をフォトダイオードで測定して、脈波信号を得ることができる。脈波センサは光学式だけでなく、例えば脈圧検出式脈波センサでもよい。
【００３８】
本実施例では、リストバンド１は被験者の手首に取り付けた状態を示しているが、被験者の他の部位に取り付けてもよい。
【００３９】
リストバンド１の脈波センサで検出された拍動信号は、無線通信、例えばＷｉＦｉ、ブルートゥース（登録商標）により睡眠状態推定装置２に送信される。拍動信号の送信はリアルタイムでなくともよく、例えば、被験者が睡眠から覚醒した後、まとめて睡眠状態推定装置２に送信してもよい。又、リストバンド１から睡眠状態推定装置２に拍動信号を直接無線送信する必要はなく、例えばスマートホン、アクセスポイント経由で睡眠状態推定装置２に送信してもよい。
【００４０】
リストバンド１から送信された拍動信号は、睡眠状態推定装置２のアンテナ２１で介して通信インターフェース２２が受信する。
【００４１】
取得部２２１は、被験者の心臓の拍動状態を示す拍動信号から拍動の間隔、例えば脈波の隣接するピーク値の時間間隔を示す拍動間隔データを取得する。拍動間隔データは呼吸推定部２２２に入力される。又、拍動間隔データは自律神経指標出力部２２６に出力される。
【００４２】
呼吸推定部２２２のイベント検出部２２３は、拍動間隔データを平滑化する。更にイベント検出部２２３は、図３に示した従来の脈波間隔から周期的心拍変動フラグを推定するアルゴリズムを使用して周期的心拍変動イベントを検出する。検出された周期的心拍変動イベントデータはイベント処理部２２４に入力される。
【００４３】
自律神経指標出力部２２６は、拍動間隔データに基づき自律神経指標（ＬＦ／ＨＦ）データを出力する。自律神経指標出力部２２６から出力される自律神経指標データは、イベント処理部２２４に入力される。
【００４４】
イベント処理部２２４は、検出された周期的心拍変動イベントデータから、拍動間隔が所定範囲内となる期間に対応する周期的心拍変動イベントデータを除外する。無呼吸に伴う周期的心拍変動では、交感神経が優位となっており、平均的な拍動間隔は短くなる傾向があるが、例えばレム睡眠の場合は周期的心拍変動に類似な心拍変動となるがその平均的な拍動間隔は無呼吸の場合に比べて長い傾向があるため、所定範囲をレム睡眠時の平均的な拍動間隔付近とし、この範囲を除外することで無呼吸であることを示す周期的心拍変動イベントデータのみを選択する。
【００４５】
イベント処理部２２４は、除外処理された無呼吸であることを示す周期的心拍変動イベントデータを、更に、自律神経指標データに基づいてフィルタリングする。フィルタリングは、例えば、自律神経指標が所定の自律神経指標閾値以上であるときの周期的心拍変動イベントデータを無呼吸であることを示す周期的心拍変動イベントデータをとして判定する。自律神経指標（ＬＦ／ＨＦ）が高いとき、被験者が無呼吸又は低呼吸睡眠状態にある可能性が高いと推定される。
【００４６】
イベント処理部２２４による検出結果に基づき、出力部２２５は、無呼吸指標として周期的心拍変動イベントデータを出力する。周期的心拍変動イベントデータに代えて、又は周期的心拍変動イベントデータと共に検出単位時間あたりの呼吸指標、例えば１時間あたりの無呼吸と低呼吸を合わせた回数である無呼吸低呼吸指数（ＡＨＩ：Apnea Hypopnea Index）に相当する値を出力してもよい。
【００４７】
無呼吸指標は、睡眠状態推定装置２に内蔵される不図示の表示部に入力され、表示画面上に、例えば、無呼吸低呼吸指数に相当する値が表示される。又、無呼吸指標は、睡眠状態推定装置２に内蔵される不図示のハードディスク、着脱メモリカードに書き込まれてもよい。更に、無呼吸低呼吸指数に相当する値は、睡眠状態推定装置２に接続される、プリンタ、情報端末装置、サーバ装置に出力されてもよい。又、ネットワークを介して、例えば、被験者データベースを有するサーバ装置に送信されてもよい。
【００４８】
本実施形態の睡眠状態推定装置２によれば、簡便に睡眠時の呼吸停止又は低呼吸状態の検出精度を向上することができる。
［第１実施形態の睡眠状態推定装置の構成例］
図７は、第１実施形態の睡眠状態推定装置の構成の一例を示す図である。
【００４９】
睡眠状態推定装置２は、アンテナ２１を介して外部と通信する通信インターフェース２２と、通信インターフェース２２と接続する制御部２４を有する。更に、外部記憶媒体と接続する記憶媒体インターフェース２３を有してもよい。例えば、記憶媒体インターフェース２３により睡眠状態推定装置２はリストバンド１の記憶媒体に記憶された検出データを読み込むことができる。
【００５０】
制御部２４は、制御記憶部２１０と制御処理部２２０を有する。制御記憶部２１０は、１又は複数の半導体メモリにより構成される。例えば、ＲＡＭや、フラッシュメモリ、ＥＰＲＯＭ、ＥＥＰＲＯＭ等の不揮発性メモリの少なくとも一つを有する。制御記憶部２１０は、制御処理部２２０による処理に用いられるドライバプログラム、オペレーティングシステムプログラム、アプリケーションプログラム、データ等を記憶する。
【００５１】
例えば、制御記憶部２１０は、ドライバプログラムとして、通信インターフェース２２を制御するデバイスドライバプログラムを記憶する。コンピュータプログラムは、例えば、ＣＤ−ＲＯＭ、ＤＶＤ−ＲＯＭ等のコンピュータ読み取り可能な可搬型記録媒体から、公知のセットアッププログラム等を用いて制御記憶部２１０にインストールされてもよい。また、プログラムサーバ等からダウンロードしてインストールしてもよい。
【００５２】
更に、制御記憶部２１０は、所定の処理に係る一時的なデータを一時的に記憶してもよい。制御記憶部２１０は、拍動閾値、拍動間隔平均範囲、  自律神経指標閾値、体動閾値等の閾値テーブル２１１、推定時間、判定時間、自律神経指標算出時間等の時間テーブル２１２、統計処理のための統計マスタ２１３等を記憶する。
【００５３】
制御記憶部２１０に記憶される、拍動閾値、拍動間隔平均範囲、自律神経指標閾値、体動閾値等の閾値テーブル２１１、推定時間、判定時間、自律神経指標出力時間等の時間テーブル２１２は固有の設定値としてもよい。又、閾値テーブル２１１、及び時間テーブル２１２は、複数被験者の無呼吸又は低呼吸睡眠状態の統計を取り、統計値の平均、分散等に基づいて統計的に設定されてもよい。更に、被験者の、生体情報、例えば年齢、性別、体重に応じた設定値を統計マスタ２１３に記憶して、被験者の無呼吸又は低呼吸睡眠状態の推定に利用してもよい。
【００５４】
制御処理部２２０は、一又は複数個のプロセッサ及びその周辺回路を有する。制御処理部２２０は、睡眠状態推定装置２の全体的な動作を統括的に制御するものであり、例えば、ＭＣＵ（Micro Controller Unit）である。
【００５５】
制御処理部２２０は、制御記憶部２１０に記憶されているプログラム（オペレーティングシステムプログラム、ドライバプログラム、アプリケーションプログラム等）に基づいて処理を実行する。また、制御処理部２２０は、複数のプログラム（アプリケーションプログラム等）を並列に実行してもよい。制御処理部２２０は、取得部２２１呼吸推定部２２２、イベント検出部２２３、イベント処理部２２４、出力部２２５、自律神経指標出力部２２６等を有する。
【００５６】
制御処理部２２０が有するこれらの各部は、独立した集積回路、回路モジュール、マイクロプロセッサ、又はファームウェアとして制御部２４に実装されてもよい。
【００５７】
［第１実施形態の睡眠状態推定処理フロー]
図８は、睡眠状態推定装置２で行われる睡眠状態推定処理のフローチャートの一例を示す図である。
【００５８】
本例の睡眠状態推定処理フローは、被験者のリストバンド１から被験者の１回の睡眠時間分、例えば７時間分の拍動信号がすでに睡眠状態推定装置２に送信されて、制御記憶部２１０に記憶されているときの処理であり睡眠推定処理は一括して行うことができる。又、例えば１時間単位で拍動信号を取得して、１時間毎に推定処理を行ってもよい。
【００５９】
取得部２２１は、被験者のリストバンド１から受信された拍動信号を用いて拍動間隔を示す拍動間隔データを取得する（ＳＴ８０１）。
【００６０】
自律神経指標出力部２２６は、拍動間隔データに基づき自律神経指標データを出力するする（ＳＴ８０２）。
【００６１】
イベント検出部２２３は、拍動間隔データを平滑化する（ＳＴ８０３）。更にイベント検出部２２３は、図３に示した従来の脈波間隔から周期的心拍変動フラグを推定するアルゴリズムを使用して周期的心拍変動イベントを検出する（ＳＴ８０４）。イベント処理部２２４は、拍動間隔データの移動平均（ｍｖ）を算出する（ＳＴ８０５）。イベント処理部２２４は、所定期間、例えば、１時間ごとの、又は１睡眠期間における拍動間隔データの平均値（Ａｎ）を算出する（ＳＴ８０６）。
【００６２】
イベント処理部２２４は、周期的心拍変動フラグが検出された時刻ｔｋにおいて拍動間隔データの移動平均（ｍｖ）が平均値（Ａｎ）以下であるかを判定する（ＳＴ８０７）。移動平均（ｍｖ）が平均値（Ａｎ）以下であるとき（ＳＴ８０７：ＹＥＳ）は、イベント処理部２２４は、時刻ｔｋにおける自律神経指標が所定の自律神経指標閾値Ｔｈ以上かを判定する（ＳＴ８０８）。移動平均（ｍｖ）が平均値（Ａｎ）を超えるとき（ＳＴ８０７：ＮＯ）は、イベント処理部２２４は、ＳＴ８０７に戻り次の時刻の周期的心拍変動フラグの移動平均（ｍｖ）と平均値（Ａｎ）を比較する。なお、ここでは移動平均（ｍｖ）が平均値（Ａｎ）以下であるときとしたが、この限りでなく、平均値（Ａｎ）の定数倍（例えば１．１）などでも構わない。またＡｎは１睡眠期間における平均値としたが、これを睡眠のウルトラディアンリズム内の平均として例えば１．５時間ごとの平均としてもかまわない。
【００６３】
時刻ｔｋにおける自律神経指標が所定の自律神経指標閾値Ｔｈ以上のとき（ＳＴ８０８：ＹＥＳ）は、イベント処理部２２４は、時刻ｔｋの周期的心拍変動フラグｃ（ｋ、ｔｋ）を周期的心拍変動フラグとして累積する（ＳＴ８０９）。時刻ｔｋにおける自律神経指標が所定の自律神経指標閾値Ｔｈ未満のとき（ＳＴ８０８：ＮＯ）は、イベント処理部２２４は、ＳＴ８０７に戻り次の時刻の周期的心拍変動データの移動平均（ｍｖ）と平均値（Ａｎ）を比較する。
【００６４】
イベント処理部２２４は、時刻ｔｋが睡眠時間を超えたかを判定する（ＳＴ８１０）。時刻ｔｋが睡眠時間を超えていないとき（ＳＴ８１０：ＮＯ）は、ＳＴ８０７に戻る。時刻ｔｋが睡眠時間を超えたとき（ＳＴ８１０；ＹＥＳ）は、出力部２２５は、累積された周期的心拍変動フラグに基づき無呼吸指標を出力する（ＳＴ８１１）。処理フローは終了する。
【００６５】
［睡眠状態推定装置の第２実施形態の処理概要]
第１実施形態では、睡眠中の被験者の拍動間隔データ及び自律神経指標データに基づいて被験者の睡眠状態を推定した。第２実施形態では、更に体動データに基づいて被験者の睡眠状態を推定する。
【００６６】
図９は、本発明に係る睡眠状態推定装置の第２実施形態の処理概要の一例を示す図である。
【００６７】
被験者の手首には、被験者の心臓の拍動状態、例えば脈拍を検出する光学式脈波センサ６１と体動センサ６２を有するリストバンド６が取り付けられている。光学式脈波センサ６１は、例えばＬＥＤドライバと緑色検出用フォトダイオードを搭載した光学式脈波センサＩＣを有する。ＬＥＤを生体内に向けて照射した時の反射光の強度をフォトダイオードで測定して、脈波信号を得ることができる。脈波センサは光学式だけでなく、例えば脈圧検出式脈波センサでもよい。
【００６８】
体動センサ６２は、例えば加速度センサを有するモーションセンサである。体動センサはジャイロを有するものでもよい。複数の加速度センサにより、３次元の動きベクトル量を検出することができ、更には被験者の手首の移動量を算出することができる。
【００６９】
本実施例では、リストバンド６は被験者の手首に取り付けた状態を示しているが、被験者の他の部位に取り付けてもよい。
【００７０】
リストバンド６の光学式脈波センサ６１で検出された拍動信号と体動センサ６２で検出された体動信号は、無線通信、例えばＷｉＦｉ、ブルートゥース（登録商標）により睡眠状態推定装置７に送信される。拍動信号と体動信号の送信はリアルタイムでなくともよく、例えば、被験者が睡眠から覚醒した後、まとめて睡眠状態推定装置７に送信してもよい。又、リストバンド６から睡眠状態推定装置７に拍動信号と体動信号を直接無線送信する必要はなく、例えばスマートホン、アクセスポイント経由で睡眠状態推定装置７に送信してもよい。
【００７１】
リストバンド６から送信された拍動信号と体動信号は、睡眠状態推定装置７のアンテナ７１を介して通信インターフェース７２が受信する。
【００７２】
取得部７２１は、被験者の心臓の拍動状態を示す拍動信号から拍動の間隔、例えば脈波の隣接するピーク値の時間間隔を示す拍動間隔データを取得する。拍動間隔データは呼吸推定部７２２に入力される。又、拍動間隔データは自律神経指標出力部７２６に入力される。
【００７３】
自律神経指標出力部７２６は、拍動間隔データに基づき自律神経指標（ＬＦ／ＨＦ）データを算出する。自律神経指標出力部７２６から出力される自律神経指標データは、呼吸推定部７２２に入力される。
【００７４】
体動データ出力部７２７は、被験者の体動信号を取得して被験者の手首の移動量を示す体動データを出力する。睡眠中に被験者が呼吸停止、低呼吸状態に陥った場合、限界を超えて呼吸を再開する際に体動を伴い瞬間的に覚醒反応を起こし呼吸を再開することが知られている。睡眠中に体動を計測することで無呼吸や低呼吸の発生可能性を判断することができる。
【００７５】
呼吸推定部７２２は、拍動間隔データ、自律神経指標データ、及び体動データを使用して被験者の無呼吸又は低呼吸睡眠状態を推定する。
【００７６】
呼吸推定部７２２のイベント検出部７２３は、拍動間隔データを平滑化する。更にイベント検出部７２３は、図３に示した従来の脈波間隔から周期的心拍変動フラグを推定するアルゴリズムを使用して周期的心拍変動イベントを検出する。検出された周期的心拍変動イベントデータはイベント処理部７２４に入力される。
【００７７】
自律神経指標出力部７２６は、拍動間隔データに基づき自律神経指標（ＬＦ／ＨＦ）データを出力する。自律神経指標出力部７２６から出力される自律神経指標データは、イベント処理部７２４に入力される。
【００７８】
イベント処理部７２４は、検出された周期的心拍変動イベントデータから、拍動間隔が所定範囲内となる期間に対応する周期的心拍変動イベントデータを除外する。無呼吸に伴う周期的心拍変動では、交感神経が優位となっており、平均的な拍動間隔は短くなる傾向があるが、例えばレム睡眠の場合は周期的心拍変動に類似な心拍変動となるがその平均的な拍動間隔は無呼吸の場合に比べて長い傾向があるため、所定範囲をレム睡眠時の平均的な拍動間隔付近とし、この範囲を除外することで無呼吸であることを示す周期的心拍変動イベントデータのみを選択する。
【００７９】
イベント処理部７２４は、除外処理された無呼吸であることを示す周期的心拍変動イベントデータを、更に、自律神経指標データに基づいてフィルタリングする。フィルタリングは、例えば、自律神経指標が所定の自律神経指標閾値以上であるときの周期的心拍変動イベントデータを無呼吸であることを示す周期的心拍変動イベントデータをとして判定する。自律神経指標（ＬＦ／ＨＦ）が高いとき、すなわち交感神経活性化状態のときは、被験者が無呼吸又は低呼吸睡眠状態にある可能性が高いと推定される。
【００８０】
イベント処理部７２４は、自律神経指標データに基づいてフィルタリングされた周期的心拍変動イベントデータを、更に、体動データに基づいてフィルタリングする。フィルタリングは、例えば、体動量が所定の体動指標閾値以上であるときの周期的心拍変動イベントデータを無呼吸であることを示す周期的心拍変動イベントデータをとして判定する。体動量が大きいとき、被験者は無呼吸反応による瞬間的な覚醒反応を起こしたと推定され、被験者が無呼吸又は低呼吸睡眠状態にある可能性が高いと推定される。
【００８１】
イベント処理部７２４による検出結果に基づき、出力部７２５は、無呼吸指標として周期的心拍変動イベントデータを出力する。周期的心拍変動イベントデータに代えて、又は周期的心拍変動イベントデータと共に検出単位時間あたりの呼吸指標、例えば１時間あたりの無呼吸と低呼吸を合わせた回数である無呼吸低呼吸指数（ＡＨＩ：Apnea Hypopnea Index）に相当する値を出力してもよい。
【００８２】
無呼吸指標は、睡眠状態推定装置２に内蔵される不図示の表示部に入力され、表示画面上に、例えば、無呼吸低呼吸指数に相当する値が表示される。又、無呼吸指標は、睡眠状態推定装置２に内蔵される不図示のハードディスク、着脱メモリカードに書き込まれてもよい。更に、無呼吸低呼吸指数に相当する値は、睡眠状態推定装置２に接続される、プリンタ、情報端末装置、サーバ装置に出力されてもよい。又、ネットワークを介して、例えば、被験者データベースを有するサーバ装置に送信されてもよい。
【００８３】
無呼吸指標は、睡眠状態推定装置７に内蔵される不図示の表示部に入力され、表示画面上に、例えば、無呼吸低呼吸指数の値が表示される。又、無呼吸指標は、睡眠状態推定装置２に内蔵される不図示のハードディスク、着脱メモリカードに書き込まれてもよい。更に、無呼吸指標は、睡眠状態推定装置７に接続される、プリンタ、情報端末装置、サーバ装置に出力されてもよい。又、ネットワークを介して、例えば、被験者データベースを有するサーバ装置に送信されてもよい。
【００８４】
本実施形態の睡眠状態推定装置７によれば、簡便に睡眠時の呼吸停止又は低呼吸状態の検出精度をより向上することができる。
【００８５】
［第２実施形態の睡眠状態推定装置の構成例］
図１０は、第２実施形態の睡眠状態推定装置の構成の一例を示す図である。
【００８６】
睡眠状態推定装置７は、アンテナ７１を介して外部と通信する通信インターフェース７２と、通信インターフェース７２と接続する制御部７４を有する。更に、外部記憶媒体と接続する記憶媒体インターフェース７３を有してもよい。例えば、記憶媒体インターフェース７３により睡眠状態推定装置２はリストバンド６の記憶媒体に記憶された検出データを読み込むことができる。
【００８７】
制御部７４は、制御記憶部７１０と制御処理部７２０を有する。制御記憶部７１０は、１又は複数の半導体メモリにより構成される。例えば、ＲＡＭや、フラッシュメモリ、ＥＰＲＯＭ、ＥＥＰＲＯＭ等の不揮発性メモリの少なくとも一つを有する。制御記憶部７１０は、制御処理部７２０による処理に用いられるドライバプログラム、オペレーティングシステムプログラム、アプリケーションプログラム、データ等を記憶する。
【００８８】
例えば、制御記憶部７１０は、ドライバプログラムとして、通信インターフェース２２を制御するデバイスドライバプログラムを記憶する。コンピュータプログラムは、例えば、ＣＤ−ＲＯＭ、ＤＶＤ−ＲＯＭ等のコンピュータ読み取り可能な可搬型記録媒体から、公知のセットアッププログラム等を用いて制御記憶部７１０にインストールされてもよい。また、プログラムサーバ等からダウンロードしてインストールしてもよい。
【００８９】
更に、制御記憶部７１０は、所定の処理に係る一時的なデータを一時的に記憶してもよい。制御記憶部７１０は、拍動閾値、自律神経指標閾値、拍動間隔平均範囲、体動閾値等の閾値テーブル７１１、推定単位時間、自律神経指標出力単位時間等の時間テーブル７１２、統計処理のための統計マスタ７１３等を記憶する。
【００９０】
制御記憶部７１０に記憶される、拍動閾値、自律神経指標閾値、拍動間隔平均範囲、体動閾値等の閾値テーブル７１１、推定時間、判定時間、自律神経指標算出時間等の時間テーブル７１２は固有の設定値としてもよい。又、閾値テーブル７１１、及び時間テーブル７１２は、複数被験者の無呼吸又は低呼吸睡眠状態の統計を取り、統計値の平均、分散等に基づいて統計的に設定されてもよい。更に、被験者の、生体情報、例えば年齢、性別、体重に応じた設定値を統計マスタ７１３に記憶して、被験者の無呼吸又は低呼吸睡眠状態の推定に利用してもよい。
【００９１】
制御処理部７２０は、一又は複数個のプロセッサ及びその周辺回路を有する。制御処理部７２０は、睡眠状態推定装置２の全体的な動作を統括的に制御するものであり、例えば、ＭＣＵである。
【００９２】
制御処理部７２０は、制御記憶部７１０に記憶されているプログラム（オペレーティングシステムプログラム、ドライバプログラム、アプリケーションプログラム等）に基づいて処理を実行する。また、制御処理部７２０は、複数のプログラム（アプリケーションプログラム等）を並列に実行してもよい。制御処理部７２０は、取得部７２１、呼吸推定部７２２、イベント検出部７２３、イベント処理部７２４、出力部７２５、自律神経指標出力部７２６、体動データ出力部７２７等を有する。
【００９３】
制御処理部７２０が有するこれらの各部は、独立した集積回路、回路モジュール、マイクロプロセッサ、又はファームウェアとして制御部７４に実装されてもよい。
【００９４】
［第２実施形態の睡眠状態推定処理フロー]
図１１は、睡眠状態推定装置７で行われる睡眠計測処理のフローチャートの一例を示す図である。
【００９５】
本例の睡眠状態推定処理フローは、被験者のリストバンド６から被験者の１回の睡眠時間分、例えば７時間分の拍動信号及び体動信号がすでに睡眠状態推定装置７に送信されて、制御記憶部７１０に記憶されているときの処理であり睡眠推定処理は一括して行うことができる。又、例えば１時間単位で拍動信号を取得して、１時間毎に推定処理を行ってもよい。
【００９６】
取得部７２１は、制御記憶部７１０に記憶されている拍動信号を用いて拍動間隔を示す拍動間隔データを取得する（ＳＴ９０１）。
【００９７】
自律神経指標出力部７２６は、拍動間隔データに基づき自律神経指標データを出力するする（ＳＴ９０２）。
【００９８】
体動データ出力部７２７は、制御記憶部７１０に記憶されている体動信号に基づきデータを出力するする（ＳＴ９０３）。
【００９９】
イベント検出部７２３は、拍動間隔データを平滑化する（ＳＴ９０４）。更にイベント検出部７２３は、図３に示した従来の脈波間隔から周期的心拍変動フラグを推定するアルゴリズムを使用して周期的心拍変動イベントを検出する（ＳＴ９０５）。イベント処理部７２４は、拍動間隔データの移動平均（ｍｖ）を算出する（ＳＴ９０６）。イベント処理部７２４は、所定期間、例えば、１時間ごとの、又は１睡眠期間における平均値（Ａｎ）を算出する（ＳＴ９０７）。
【０１００】
イベント処理部７２４は、周期的心拍変動フラグが検出された時刻ｔｋにおいて移動平均（ｍｖ）が平均値（Ａｎ）以下であるかを判定する（ＳＴ９０８）。移動平均（ｍｖ）が平均値（Ａｎ）を超えるとき（ＳＴ９０８：ＮＯ）は、イベント処理部７２４は、ＳＴ９０８に戻り次の時刻の周期的心拍変動フラグの移動平均（ｍｖ）と平均値（Ａｎ）を比較する。移動平均（ｍｖ）が平均値（Ａｎ）以下であるとき（ＳＴ９０８：ＹＥＳ）は、イベント処理部２２４は、時刻ｔｋにおける自律神経指標が所定の自律神経指標閾値Ｔｈ以上かを判定する（ＳＴ９０９）。
【０１０１】
自律神経指標が所定の自律神経指標閾値Ｔｈを下回るとき（ＳＴ９０９：ＮＯ）は、イベント処理部７２４は、ＳＴ９０８に戻る。時刻ｔｋにおける自律神経指標が所定の自律神経指標閾値Ｔｈ以上のとき（ＳＴ９０９：ＹＥＳ）は、イベント処理部２２４は、時刻ｔｋにおける体動量が体動閾値Ｔｂ以上であるかを判定する（ＳＴ９１０）。体動量が体動閾値Ｔｂ未満であるとき（ＳＴ９１０：ＮＯ）は、イベント処理部７２４は、ＳＴ９０８に戻る。体動量が体動閾値Ｔｂ以上であるとき（ＳＴ９１０：ＹＥＳ）は、イベント処理部７２４は、時刻ｔｋの周期的心拍変動フラグｃ（ｋ、ｔｋ）を周期的心拍変動フラグとして累積する（ＳＴ９１１）。
【０１０２】
イベント処理部７２４は、時刻ｔｋが睡眠時間を超えたかを判定する（ＳＴ９１２）。時刻ｔｋが睡眠時間を超えていないとき（ＳＴ８１０：ＮＯ）は、ＳＴ９０８に戻る。時刻ｔｋが睡眠時間を超えたとき（ＳＴ９１２；ＹＥＳ）は、出力部７２５は、累積された周期的心拍変動フラグに基づき無呼吸指標を出力する（ＳＴ９１３）。処理フローは終了する。
【０１０３】
［睡眠状態推定装置の第３実施形態の概要]
第１、２実施形態では、被験者の手首につけられたリストバンドからのセンサ信号を受信して被験者の睡眠状態を推定する睡眠状態推定装置であった。第３実施形態では、リストバント内に睡眠状態推定装置が組み込まれた、例えばスマートウォッチ型の睡眠状態推定装置を説明する。
【０１０４】
図１２は、第３実施形態の睡眠状態推定装置の一例を示す外形斜視図である。（ａ）は表側からの外形斜視図であり、（ｂ）は裏側からの外形斜視図である。
【０１０５】
睡眠状態推定装置９は、本体部９１とリストバンド部９２を有する。本体部９１の表側には表示部９３を有し、側面には操作ボタン９４を有する。本体部９１の裏側には光学式脈波センサ９５を有する。不図示の加速度センサ９６は、本体部９１に内蔵されている。
【０１０６】
［第３実施形態の睡眠状態推定装置の構成例］
図１３は、第３実施形態の睡眠状態推定装置９の本体部の構成の一例を示す図である。
【０１０７】
本体部９１は、表示部９３、操作ボタン９４、光学式脈波センサ９５、加速度センサ９６、制御部９７、入出力インターフェース９８、及びセンサインターフェース９９を有する。表示部９３及び操作ボタン９４は入出力インターフェース９８を介して制御部９７に接続され、光学式脈波センサ９５及び加速度センサ９６はセンサインターフェース９９を介して、制御部９７に接続される。
【０１０８】
光学式脈波センサ９５からの拍動信号及び加速度センサ９６からの体動信号はセンサインターフェース９９を介して、制御部９７に入力され、制御部９７は、拍動信号及び体動信号を用いて、睡眠状態推定装置９の装着者である被験者の睡眠状態を推定する。制御部９７から出力される無呼吸指標は入出力インターフェース９８を介して送られ、表示部９３に呼吸指標値を表示する。又、操作ボタン９４は、入出力インターフェース９８を介して制御部９７の動作を操作する。
【０１０９】
［本発明による周期的心拍変動推定の効果］
図１４は、本発明による周期的心拍変動推定の効果を示す図である。
【０１１０】
図１４の上部には、被験者の１睡眠期間、例えば、睡眠時間が７時間のときの脈波間隔（ＰＰＩ）が示されている。最下段の（ｉ）ＡＨＩは、睡眠ポリグラフ装置により計測された、実際の無呼吸又は低呼吸の状態を帯状に示したものである。下から２段目の（ｉｉ）ＣＶＨＲ（original）は、従来アルゴリズムを使用して周期的心拍変動イベントが発生したと推定したときの状態を帯状に示している。脈波間隔（ＰＰＩ）が所定の脈波間隔閾値より大きいとき、周期的心拍変動が発生したと推定したときの状態を帯状に示している。（ｉ）と（ｉｉ）を比較すると、（ｉｉ）には、実際には無呼吸又は低呼吸の状態でない状態が多く含まれていることがわかる。
【０１１１】
下から３段目の（ｉｉｉ）ＣＶＨＲ（modified）は、脈波間隔（ＰＰＩ）の脈波間隔平均値であるＤＣ成分が拍動間隔平均閾値より長い場合を（ｉｉ）から除外したときの周期的心拍変動を帯状に示したものである。脈波間隔平均値が長い期間の部分が除外されたことにより、推定が改善されたことがわかる。
【０１１２】
下から４段目の（ｉｖ）ＬＦ／ＨＦ filter は、水平な太線のうち空隙となっている部分は、体動データが所定の体動閾値以上且つ自律神経指標データが所定の自律神経指標閾値以上となった部分の自律神経指標に対応する部分である。
【０１１３】
下から５段目の（ｖ）ＣＶＨＲ（modified）＋ＬＦ／ＨＦ filter は被験者の睡眠状態を本願の第１実施形態により推定した効果を示すものである。（ｉｉｉ）に（ｉｖ）を考慮した周期的心拍変動を帯状に示したものである。（ｖ）は（ｉ）の実際の無呼吸又は低呼吸の状態により近くなったことがわかる。
【０１１４】
上述の説明では、被験者の心臓の拍動状態として脈拍を例にとり説明したが、被験者の心臓の拍動状態として心拍を使用してもよい。
【０１１５】
本発明に係る睡眠状態推定装置は、サーバ装置‐クライアント装置間の連携による実施形態としてもよい。
【０１１６】
当業者は、本発明の精神及び範囲から外れることなく、様々な変更、置換、及び修正をこれに加えることが可能であることを理解されたい。
【符号の説明】
【０１１７】
１、６    リストバンド
２、７、９    睡眠状態推定装置
２１、７１    アンテナ
２２、７２    通信インターフェース
２３、７３    記憶媒体インターフェース
２４、７４    制御部
２１０、７１０    制御記憶部
２２０、７２０    制御処理部
２２１、７２１    取得部
２２２、７２２    呼吸推定部
２２３、７２３    イベント検出部
２２４、７２４    イベント処理部
２２５、７２５    出力部
２２６、７２６    自律神経指標出力部
７２７    体動データ出力部
【図１】
2020168215.tif 000003
【図２】
2020168215.tif 000004
【図３】
2020168215.tif 000005
【図４】
2020168215.tif 000006
【図５】
2020168215.tif 000007
【図６】
2020168215.tif 000008
【図７】
2020168215.tif 000009
【図８】
2020168215.tif 000010
【図９】
2020168215.tif 000011
【図１０】
2020168215.tif 000012
【図１１】
2020168215.tif 000013
【図１２】
2020168215.tif 000014
【図１３】
2020168215.tif 000015
【図１４】
2020168215.tif 000016